(57)【要約】【課題】洗濯物を短時間に効率よく脱水し、脱水時間を短縮する。【解決手段】外槽１内に回転自在に支持した内槽４の底部に通気孔８ｂを設けるとともに、前記内槽４の底部外壁面に略放射状に複数の羽根７を装備し、前記外槽１の底部から前記複数の羽根７を内包するようにケーシング部１０を突出させたものである。【選択図】　図１
2004008543.tif 000002
【特許請求の範囲】
【請求項１】
筐体と、前記筐体内に弾性的に支持した外槽と、前記外槽内に回転自在に支持され有底状で開口部を有し洗濯物を収納する内槽と、前記内槽を回転させる駆動手段を装備し、前記内槽の底部に通気孔を設けるとともに、前記内槽の底部外壁面に略放射状に複数の羽根を設けた洗濯機。
【請求項２】
複数の羽根を内槽と一体に形成した請求項１記載の洗濯機。
【請求項３】
内槽の回転による空気の流れを徐々に整流するケーシング部を外槽底部から複数の羽根を内包するように突出させた請求項１記載の洗濯機。
【請求項４】
複数の羽根とケーシング部の少なくとも一方をそれぞれ内槽あるいは外槽と一体に形成した請求項３記載の洗濯機。
【請求項５】
内槽内の底部に回転自在な撹拌翼を設け、その撹拌翼に複数の通気孔を設けた請求項１〜４のいずれか１項に記載の洗濯機。
【請求項６】
ケーシング部の吹き出し口を外槽内に設けるとともに、前記吹き出し口と対向させて外槽に排気口を設けた請求項３〜５のいずれか１項に記載の洗濯機。
【請求項７】
ケーシング部の吹き出し口と連通する排気通路を設けるとともに、互いに連通する排出口を前記ケーシング部の内と外とにそれぞれ設けた請求項３〜５のいずれか１項に記載の洗濯機。
【発明の詳細な説明】
【０００１】
【発明の属する技術分野】
本発明は、洗濯物を内槽に収納し脱水処理まで行う洗濯機に関するものである。
【０００２】
【従来の技術】
従来の一般的な洗濯機の脱水工程は、洗濯物を収納する内槽を高速回転させて洗濯物に含まれる水分を遠心力で分離するものが殆どである。最近では脱水中に温風を洗濯物に吹き付けて脱水率を向上させるものがある。この種の洗濯機を図５に示す。
【０００３】
図５において、５０は洗濯機の筐体５１に弾性的に吊り下げられた外槽で、外槽５０をサスペンション機構５２により、筐体５１から懸垂防振支持して設置している。５３は洗濯物５４を収容する内槽で、外槽５０内に回転中心軸を鉛直方向に有し、回転自在に支持されている。内槽５３の内底部には洗濯物を撹拌する撹拌翼５５を備えている。
【０００４】
外槽５０の下方には駆動手段５６を設け、その回転軸は、中空で二軸構造を成し、洗濯工程、すすぎ工程および脱水工程において駆動手段５６の回転を撹拌翼５５、及び内槽５３に伝達する。洗濯工程、すすぎ工程では、攪拌翼５５、或いは内槽５３を回転して内槽５３内で洗濯物５４を撹拌して洗濯、すすぎを行う。脱水工程では、内槽５３を高速回転させて脱水するようになっている。
【０００５】
内槽５３の上方には、流体バランサー５７を設け、脱水工程における内槽５３の高速回転時に、洗濯物５４の偏りを修正して振動を少なく高速回転を可能とするものである。洗濯物５４に温風を吹き付けるための乾燥空気を送風する送風手段５８を筐体５１の略上方に設け、加熱手段５９を送風手段５８の吐出側に設けている。
【０００６】
６０は吹き出し口で、吸気口６１から吸気した空気を加熱手段５９で加熱して温風を内槽５３に吹き出すものである。筐体５１の上部には蓋６２を設け、蓋６２と対面して外槽５０の上方開口を開閉する中蓋６３を設けている。外槽５０の下部には排出口６４、排水弁６５、排水口６６を設けている。６７は排気ダクトで排出口６４の下流側と排気口６８とを連通して構成されている。
【０００７】
以上に示した従来の洗濯機について、洗濯、すすぎ工程は説明を省略し、脱水工程の動作について説明する。脱水工程は、洗濯・すすぎ工程終了後、内槽５３内の水を排水弁６５を開いて排水した後、駆動手段５６の動力で内槽５３を高速回転させ、洗濯物５４に含まれる水分を遠心力で分離するものである。
【０００８】
内槽５３を高速回転させながら、送風手段５８、加熱手段５９を動作させることで、温風は吹き出し口６０から内槽５３に供給される。温風は洗濯物５４と接触し、内槽５３の外部に流出後、排出口６４から排気ダクト６７を通過して排気口６８より排出される。
【０００９】
【発明が解決しようとする課題】
しかしながら、内槽５３の高速回転だけで脱水する従来の洗濯機においては、洗濯物５４に含まれる水分を分離する能力は、内槽５３の回転数で決まる遠心力の強度で、ある程度決定される。一般的には内槽５３の回転数は、毎分７００〜１０００回転程度であり、それ以上に回転数を高速化すると振動、騒音が大きくなり実用的ではない。従って、飛躍的に脱水率を向上することが出来なかった。
【００１０】
また、図５に示すような脱水工程中に温風を内槽５３に吹き付ける構成の従来の洗濯機においては、前記従来の洗濯機に比べて脱水率の向上は図れるが効率的でなかった。その理由は、内槽５３に温風が吹き出し口６０から吹き込まれ、洗濯物５４と接触するが脱水中の洗濯物５４は内槽５３の内周壁面に均等に存在していない。これは脱水工程を開始する前の洗濯物５４の状態に起因している。
【００１１】
洗濯物５４の自重で内槽５３の底部方向に押され、上方部に空間が存在する。この状態は洗濯物５４の処理容量が少なければ顕著となり、内槽５３の上部は大きな空間が存在することになる。以上の状態で脱水工程を開始すると、内槽５３の回転で洗濯物５４は遠心力で内槽５３の周壁面方向に移動する。
【００１２】
以上の様に内槽５３の上方部は洗濯物５４が存在しないか、少ない状態となり温風は空気抵抗の小さい前記箇所を通過する。従って、温風は洗濯物５４の表面のみと接触するだけで、洗濯物５４が集中している箇所と積極的に接触しないで排気されてしまう。以上の様に洗濯物の脱水率を飛躍的に向上することが出来なかった。また、脱水時間が長かった。
【００１３】
本発明は上記従来の課題を解決するもので、洗濯物の脱水工程において洗濯物を短時間に効率よく脱水し、脱水率を向上することを目的とする。
【００１４】
【課題を解決するための手段】
前記従来の課題を解決するために、本発明の洗濯機は、筐体と、前記筐体内に弾性的に支持した外槽と、前記外槽内に回転自在に支持され有底状で開口部を有し洗濯物を収納する内槽と、前記内槽を回転させる駆動手段を装備し、前記内槽の底部に通気孔を設けるとともに前記内槽の底部外壁面に略放射状に複数の羽根を設けたものである。
【００１５】
これによって、空気または温風の流れを内槽の底部方向に向けて効果的に発生させることが出来る。従って、洗濯物が集中する箇所にも空気または温風を均一に通過させることができるので、洗濯物に含まれる水分の蒸発を促進させ脱水率を飛躍的に向上させ、脱水時間も短縮することができる。
【００１６】
【発明の実施の形態】
請求項１に記載の発明は、筐体と、前記筐体内に弾性的に支持した外槽と、前記外槽内に回転自在に支持され有底状で開口部を有し洗濯物を収納する内槽と、前記内槽を回転させる駆動手段を装備し、前記内槽の底部に通気孔を設けるとともに前記内槽の底部外壁面に略放射状に複数の羽根を設けたことにより、脱水工程において内槽を高速回転させた時に、羽根の回転軸の半径方向と略直角方向の空気の流れを発生させることができるので、洗濯物が集中し易い内槽底部にも空気を強制的に通過させることができ、空気を強制的に内槽の底部方向から排出できる。このため遠心力による水分分離に加えて、洗濯物が大容量から少容量のいずれの場合でも効果的に洗濯物を空気が必ず通過するので洗濯物に含まれる水分の蒸発が促進され脱水率が飛躍的に向上し、脱水時間も短縮される。
【００１７】
請求項２に記載の発明は、上記請求項１に記載の発明において、内槽の底部外壁面に略放射状に突出した複数の羽根を内槽と一体に形成したことにより、構成が簡単で組立も容易で安価に実現できる。
【００１８】
請求項３に記載の発明は、上記請求項１に記載の発明において、内槽の回転による空気の流れを徐々に整流するケーシング部を外槽底部から複数の羽根を内包するように突出させたことにより、内槽に設けた羽根による空気をより効率的に発生させ、さらに多量の空気量が送風でき、水分の蒸発が促進されるので、より効果的に脱水率を向上させ、脱水時間をさらに短縮できるとともに、同時に低騒音化も実現できる。
【００１９】
請求項４に記載の発明は、上記請求項３に記載の発明において、内槽の底部外壁面に略放射状に突出した複数の羽根を内槽と外槽底部から突出させたケーシング部の少なくとも一方をそれぞれ内槽あるいは外槽と一体に形成したことにより、構成が簡単で組立も容易で安価に実現できる。
【００２０】
請求項５に記載の発明は、上記請求項１〜４に記載の発明において、内槽内の底部に回転自在な撹拌翼を設け、その撹拌翼に複数の通気孔を設けたことにより、内槽の底部に設けた通気孔とあいまって、洗濯物が集中し易い内槽底部にも空気をよりスムーズに導き通過させることができるので、洗濯物に含まれる水分の蒸発がさらに促進され、脱水率が飛躍的に向上し、脱水時間も短縮される。
【００２１】
請求項６に記載の発明は、上記請求項３〜５に記載の発明において、外槽底部から突出したケーシング部の吹き出し口を外槽内に設けるとともに、前記吹き出し口と対向させて外槽に排気口を設けたことにより、空気流の損失が少なく、流量低下が抑えられ、効果的に脱水率を向上させることができるとともに、外槽の水を排水する排水経路を簡単な構成とすることができる。
【００２２】
請求項７に記載の発明は、上記請求項３〜５に記載の発明において、外槽底部から突出したケーシング部の吹き出し口と連通する排気通路を設けるとともに、互いに連通する排水口を前記ケーシング部の内と外とにそれぞれ設けたことにより、空気流の損失が少なく、羽根による空気を効率的に発生させ多量の空気が送風できるので、効果的に脱水率を向上させることができる。
【００２３】
【実施例】
以下、本発明の実施例について、図面を参照しながら説明する。
【００２４】
（実施例１）
図１は本発明の第１の実施例における洗濯機の縦断面図、図２は同洗濯機の要部平面断面図である。
【００２５】
図１において、１は洗濯機の筐体２に弾性的に吊り下げられた外槽で、サスペンション機構３により、筐体２から懸垂防振支持して設置されている。４は洗濯物５を収容する内槽で、外槽１内に回転中心軸を鉛直方向に有し、回転自在に支持され、洗濯物５を出し入れする開口部６を有する有底状のものである。前記内槽４の底部外壁面には回転軸を中心として略放射状に回転軸方向にリブ状に突出した複数の羽根７を装備している。
【００２６】
また、前記内槽４の周壁には複数の小孔８ａ、底面には内槽４を流れる空気を排気する通気孔として作用する複数の小孔８ｂを設けており、内槽４内の底部には洗濯物５を撹拌する撹拌翼９を備え、その撹拌翼９の壁面には内槽４を流れる空気が通過する小孔９ａを複数設けている。外槽１の底部にはケーシング部１０を設け、羽根７を内包するように突出させてある。
【００２７】
ケーシング部１０は内槽４の回転による空気の流れを徐々に整流するものであり、流れの上流から下流に向かって徐々に広くなるスクロール形状を成している。ケーシング部１０の上端面は、内槽４の底部外壁面と若干の隙間を有した高さとしている。内槽４の底部は樹脂材料で構成され、羽根７を内槽４と一体に成型して形成している。また、前記ケーシング部１０を構成する壁面も外槽１の底部と一体に成型して形成している。
【００２８】
また、ケーシング部１０の吹き出し口１１を外槽１内に有している。外槽１の下方には駆動手段１２を設け、その回転軸は中空で二軸構造を成し、洗濯工程、すすぎ工程および脱水工程において、駆動手段１２の回転を撹拌翼９、及び内槽４に伝達する。洗濯工程、すすぎ工程では、攪拌翼９、或いは内槽４を回転して内槽４内で洗濯物５を撹拌して洗濯、すすぎを行う。
【００２９】
脱水工程では、内槽４を高速回転させて脱水するようになっている。内槽４の上方には、流体バランサー４ａを設け、脱水工程における内槽４の高速回転時に洗濯物の偏りを修正して振動を少なく高速回転を可能とするものである。１４は送風手段で内槽４に空気を送風するもので、送風手段１４の上流側には吸気口１５、下流側には加熱手段１６を装備し、吹き出し口１７から空気を吹き出す。
【００３０】
筐体２の上部には、蓋１８を設け、蓋１８と対面して外槽１の上方開口を開閉する中蓋１９を設けている。外槽２の下部には排出口２０、排水弁２１、排水口２２を設けている。２３は排気通路でケーシング部１０の吹き出し口１１と対向した位置に設けた排気口２４と、下流側の排気口２５と連通して構成されている。
【００３１】
以上のように構成された洗濯機について、以下にその動作、作用を説明する。まず、洗濯工程では、内槽４に洗濯物５と洗剤を投入し洗濯を所定時間実施する。次に、すすぎ工程は排水弁２１を開状態にして洗濯水を排水する。その後排水弁２１を閉状態にして外槽１に所定水量を給水し、撹拌翼９を所定時間動作させて洗濯物５の洗剤分をすすぎ水に移行させる。次に、排水弁２１を動作させて外槽１のすすぎ水を排水してすすぎ工程を終了する。
【００３２】
脱水工程は、洗濯工程、すすぎ工程終了後に駆動手段１２の動力で内槽４を高速回転させ、洗濯物５に含まれる水分を遠心力で分離して脱水する。脱水中の洗濯物５は内槽４の内周壁面に均等に存在していない。これは、脱水工程を開始する前の洗濯物５の状態は、洗濯物５の自重で内槽４の底部方向に押され、上方部に空間が存し、この状態は洗濯物５の処理容量が少なければ顕著となり内槽４の上部は大きな空間が存在することになり、以上の状態で脱水工程を開始すると、内槽４の高速回転で洗濯物５は遠心力で内槽４の周壁面方向に移動し、内槽４の上方部は洗濯物５が存在しないか少ない状態となるためである。
【００３３】
脱水工程開始と同時に、送風手段１４及び加熱手段１６を動作させて温風を吹き出し口１７より内槽４に吹き出す。一方、内槽４の高速回転に伴って内槽４の底部外壁面に設けられた羽根７の効果で、図１中の矢印Ａの様な空気の流れが発生し、その流れは内槽４の底部方向に向けて強力となる。
【００３４】
内槽４の底部外方部の空気は羽根７の作用により内槽４の回転軸の半径方向と略直角方向の空気の流れを発生させる。この時、図２に示したようにスクロール形状のケーシング部に沿って、Ｘ点からＹ点の間で徐々に減速される。すなわち、圧力回復されることにより効率のいい運転が可能となり、圧力、風量ともに増加する。
【００３５】
このように内槽４に流入した温風は洗濯物５の表面はもとより、内部を通過して小孔９ａ、８ｂを通過してケーシング部１０、吹き出し口１１より吹き出す。前記空気は吹き出し口１１に対向した位置に設けられた排気口２４から排気通路２３を通過して排気口２５から筐体２の外に排出される。
【００３６】
以上のように、本実施例によれば、洗濯物５を収納する内槽４の底部に通気孔を設けるとともに、前記内槽４の底部外壁面に略放射状に複数の羽根７を設けたことにより、脱水工程において内槽４を高速回転させた時に、洗濯物５に含まれる水分は遠心力で小孔８ａから排出されると同時に、羽根７の回転軸の半径方向と略直角方向の空気の流れを発生させることができ、洗濯物５が集中し易い内槽４の底部にも空気を強制的に通過させ排出できる。
【００３７】
このため遠心力による水分分離に加えて、洗濯物５が大容量から少容量のいずれの場合でも効果的に洗濯物５に空気を必ず通過させることができるので、洗濯物５に含まれる水分の蒸発が促進され、脱水率が飛躍的に向上し、脱水時間も短縮される。
【００３８】
また、内槽４の回転による空気の流れを徐々に整流するケーシング部１０を、外槽１の底部から羽根７を内包するように突出させるとともに、ケーシング部１０の吹き出し口１１を外槽１内に設け、前記吹き出し口１１と対向させて外槽１に排出口２０を設けたことにより、内槽４に設けた羽根７による空気を効率的に発生させ多量の空気が送風でき、水分の蒸発が促進されるので、より効果的に脱水率を向上させ、脱水時間が短縮できるとともに低騒音化も実現できる。
【００３９】
更に、内槽４の底部外壁面に略放射状に突出した複数の羽根７を内槽４と一体に形成したり、外槽１の底部から突出させたケーシング部１０を外槽１と一体に形成することにより、構成が簡単で組立も容易で安価な洗濯機を実現できる。
【００４０】
なお、本実施例では脱水中に温風を洗濯物５に吹き付けて接触させているが、加熱手段１６を設けないで空気を吹き付けるだけでも、洗濯物５に空気が効果的に通過するので脱水率の向上がはかれる。更に送風手段１４、加熱手段１６を装備しなくとも、羽根７の効果で空気が効果的に洗濯物５を通過するので脱水率を向上させることができる。
【００４１】
なお、本実施例では羽根７は内槽４と一体に形成したが、内槽４とは別設してリベット締め、溶接、ビス止めとしても良い。また、本実施例では筐体２の外部から空気を吸気して筐体２の外部に排気するものであるが、空気を循環する密閉方式でも同様の効果が得られる。
【００４２】
（実施例２）
図３は本発明の第２の実施例における洗濯機の縦断面図、図４は同洗濯機の要部平面断面図である。なお、実施例１と同様のものは同一符号とし説明は省略する。
【００４３】
外槽１の底部にはケーシング部２６を設け、羽根７を内包するように突出させてある。ケーシング部２６は内槽４の回転による流れを徐々に整流するものであり、スクロール形状を成している。ケーシング部２６の上端面は、内槽４の底部外壁面と若干の隙間を有した高さとしている。内槽４の底部は樹脂材料で構成され、羽根７を内槽４と一体に成型して形成している。また、前記ケーシング部２６を構成する壁面も外槽１の底部と一体に成型して形成している。
【００４４】
また、ケーシング部２６の吹き出し口２７は外槽１の底部から外方に突出させ、閉流路を形成して排気通路２３と連通している。２８は排出口でケーシング部２６の内部に設け、ケーシング部２６の外部で、且つ外槽１の内部に設けた排出口２０は、それぞれ入り口を独立して設けられており、排水弁１９の上流側で互いに連通されている。
【００４５】
以上のように構成された洗濯機について、以下にその動作、作用を説明する。まず、洗濯工程、すすぎ工程における排水は、排水弁１９を開状態にしてケーシング部２６の外部、及び内部の水は排出口２０、２８をそれぞれの排水経路の入り口とし、その後一体となって排水通路を経由して排水口２２から排水される。
【００４６】
次に、脱水工程の動作について説明する。脱水工程開始と同時に、送風手段１４及び加熱手段１６を動作させて温風を吹き出し口１７より内槽４に吹き出す。一方、内槽４の高速回転に伴って内槽４の底部外壁面に設けられた羽根７の効果で、図３中の矢印Ｂの様な空気の流れが発生し、その流れは内槽４の底部方向に向けて強力となる。内槽４の底部外方部の空気は羽根７の作用により内槽４の回転軸の半径方向と略直角方向の空気の流れを発生させる。
【００４７】
この時、図４に示したようにスクロール形状のケーシング部に沿って、Ｘ点からＹ点の間で徐々に減速され圧力回復される。この空気の流れは、外槽１の底部から外方へ突出させた吹き出し口２７から、吹き出し口２７の断面積とほぼ同等の通路断面積を有する排気通路２３と連通して連続した閉じた通路を通過する。この送風経路間は通路断面積の大きな変化が無く、連続した通路断面を空気が流れるので、より効率のいい運転が可能となり、圧力、風量ともに増加する。
【００４８】
この理由は、断面積が急激に大きく変化する通路を空気が流れると、流線が乱れ主流から大きく方向の異なる渦等の流れが発生し損失となる。また、断面積が急激に小さく変化する場合は、壁との摩擦が増大し通路抵抗となる。本実施例では以上のような急激な通路断面の変化がないので空気流の損失を少なくすることができる。
【００４９】
従って、大風量の空気が吹き出し口２７から排気通路２３に導入され、排気口２５から筐体２の外に排出される。この結果、内槽４に流入した温風は、洗濯物５の表面はもとより、内部を通過して小孔９ａ、８ｂからケーシング部２６に導かれ、吹き出し口２７より吹き出す。このため、洗濯物５を温風が通過するので洗濯物５に含まれる水分の蒸発がなお一層促進される。また、同時に低騒音化も実現できる。
【００５０】
以上のように、本実施例によれば、外槽１の底部から突出したケーシング部２６の吹き出し口２７と連通する排気通路２３を設けると共に、互いに連通する排出口２０、２８をケーシング部２６の内と外とにそれぞれ設けたことにより、空気流の損失が少なく、羽根７による空気を効率的に発生させ多量の空気が送風でき、効果的に脱水率を向上させることができる。
【００５１】
【発明の効果】
以上のように本発明の請求項１に記載の発明によれば、筐体と、前記筐体内に弾性的に支持した外槽と、前記外槽内に回転自在に支持され有底状で開口部を有し洗濯物を収納する内槽と、前記内槽を回転させる駆動手段を装備し、前記内槽の底部に通気孔を設けるとともに前記内槽の底部外壁面に略放射状に複数の羽根を設けたから、洗濯物が大容量から少容量のいずれの場合でも、洗濯物に含まれる水分を効率よく蒸発させることができ、脱水率を向上させて、脱水時間を大幅に短縮することができる。
【００５２】
また、請求項３に記載の発明によれば、内槽の回転による空気の流れを徐々に整流するケーシング部を外槽底部から複数の羽根を内包するように突出させたから、内槽に設けた羽根による空気をより効率的に発生させ、さらに多量の空気量が送風でき、水分の蒸発が促進されるので、より効果的に脱水率を向上させ、脱水時間をさらに短縮できるとともに、同時に低騒音化も実現できる。
【００５３】
また、請求項４に記載の発明によれば、内槽の底部外壁面に略放射状に突出した複数の羽根を内槽と一体に形成したり、外槽底部から突出させたケーシング部を外槽と一体に形成から、構成が簡単で組立も容易で安価な洗濯機を実現することができる。
【００５４】
また、請求項５に記載の発明によれば、内槽内の底部に回転自在な撹拌翼を設け、その撹拌翼に複数の通気孔を設けたから、内槽の底部に設けた通気孔とあいまって、洗濯物が集中し易い内槽底部にも空気をよりスムーズに導き通過させることができるので、洗濯物に含まれる水分の蒸発がさらに促進され、脱水率が飛躍的に向上し、脱水時間もさらに短縮される。
【００５５】
また、請求項６に記載の発明によれば、外槽底部から突出したケーシング部の吹き出し口を外槽内に設けるとともに、前記吹き出し口と対向させて外槽に排気口を設けたから、空気流の損失が少なく、流量低下が抑えられ、効果的に脱水率を向上させることができるとともに、外槽の水を排水する排水経路を簡単な構成とすることができる。
【００５６】
また、請求項７に記載の発明によれば、外槽底部から突出したケーシング部の吹き出し口と連通する排気通路を設けるとともに、互いに連通する排水口を前記ケーシング部の内と外とにそれぞれ設けることにより、空気流の損失が少なく、羽根による空気を効率的に発生させ多量の空気が送風できるので、なお一層効果的に脱水率を向上させることができる。
【図面の簡単な説明】
【図１】本発明の実施例１の洗濯機の縦断面図
【図２】同洗濯機の要部平面断面図
【図３】本発明の実施例２の洗濯機の縦断面図
【図４】同洗濯機の要部平面断面図
【図５】従来の洗濯機の縦断面図
【符号の説明】
１　外槽
２　筐体
４　内槽
６　開口部
７　羽根
８ａ、８ｂ　小孔
９　撹拌翼
９ａ　小孔
１０、２６　ケーシング部
１１、２７　吹き出し口
１２　駆動手段
１４　送風手段
１６　加熱手段
２０、２８　排出口
２３　排気通路
【図１】
2004008543.tif 000003
【図２】
2004008543.tif 000004
【図３】
2004008543.tif 000005
【図４】
2004008543.tif 000006
【図５】
2004008543.tif 000007